(57)【要約】【課題】  従来の手の消毒、乾燥機はその行程で消毒と乾燥が別々に行われる問題と、消毒液が外部に飛散する問題があった。【解決手段】手を挿入できる広さを有する収納部に、手を一度挿入する動作により、手を挿入したことを感知するセンサーが手を感知して手に送風して乾燥させるブロワーの作動と、消毒液を噴霧して消毒することをあわせて行えるような手消毒乾燥装置にした。消毒液の外部へ飛散する問題点を手の収納部における消毒液噴霧ノズルよりも上部に高速空気吹き出し口を備える。それに加えて消毒液の噴霧時間に対し、送風時間を長く設定することと、送風の始まりよりも所定時間遅れてから消毒液の噴霧が始まることの二つの特徴によって消毒液が収納部から外部に飛散することを防止している。【選択図】図１
2011031011.tif 000002
【特許請求の範囲】
【請求項１】
手を挿入できる広さを有する収納部と、この収納部に手を挿入したことを感知するセンサーと、このセンサーが手を感知した信号が入力される制御部と、この制御部から信号によって駆動される駆動部により高速空気吹き出し口より手に送風して乾燥させるブロワーを備えたものにおいて、前期収納部において高速空気吹き出し口より下部に消毒液噴霧ノズルを設け、この噴霧ノズルに消毒液を噴霧する吸引ポンプと、この吸引ポンプを駆動する駆動部を備え、前記制御部が、前記センサーが手を感知すると同時に前記ブロワーを作動し、所定時間経過した後に噴霧ポンプが作動して、消毒液噴霧ノズルより所定量の消毒液を噴霧して手を消毒乾燥するよう制御されていることを特徴とする手消毒乾燥装置。
【発明の詳細な説明】
【技術分野】
【０００１】  本発明は、消毒液の飛散を防ぎながら手の消毒、乾燥を行うことができる自動消毒乾燥装置に関するものである。
【背景技術】
【０００２】  洗面所の出入口などに設置されたものとして、特開２０００−３００４６５号に開示されたものがあるが、これは一旦消毒液を吹き掛けた手を装置内部より引き出し、改めて両手を装置の内部に挿入し、乾燥動作に移行する装置である。【０００３】  また、食品工場の衛生管理に利用されるものとして、特開２００４−１１３１５号に開示されたものがあるが、これは消毒液を噴霧する装置と乾燥機の装置が別々にあるものをあわせたものであり、広い設置スペースが必要となる。
【先行技術文献】
【特許文献】
【０００４】
【特許文献１】  特開２０００−３００４６５号  公報
【特許文献２】  特開２００４−１１３１５号  公報
【発明の概要】
【発明が解決しようとする課題】
【０００１】  特許文献１の装置では、手の消毒と乾燥が可能であるが、消毒した手を一旦装置内部から引き出し、再び手をセンサーに感知させる動作が必要なため、手を装置の外部に引き出している間に雑菌が付着する可能性がある。【０００２】  特許文献２の装置では、上記と同様に手の消毒と乾燥が可能であるが、消毒液が外部に飛散する恐れがある。【０００３】  昨今の新型インフルエンザの感染拡大を予防するために、不特定多数の利用者が往来する施設、例えばホテルや駅、レストランなどの出入口において、指押し式の消毒用アルコール液の設置が見受けられるが、そのほとんどが指で押すとノズルの先より消毒液が噴出するプラスチックのボトルを置いているのみであり、多くはその利用がない状態であるため、とても新型インフルエンザ感染拡大の予防に適切であるとはいいがたい。【０００４】  本発明は、少ないスペースに手の消毒と乾燥をスムーズに行う装置であり、また上下水道との接続の必要がないため不特定多数の利用者が往来する施設、例えばホテルや駅、レストランの出入口など電源さえあれば、どこにでも設置可能であり、急な催しにも対応可能である。
【課題を解決するための手段】
【０００５】  前記課題を解決するために本発明は、手を挿入できる広さを有する収納部と、この収納部に手を挿入したことを感知するセンサーと、このセンサーが手を感知した信号が入力される制御部と、この制御部から信号によって駆動される駆動部により高速空気吹き出し口より手に送風して乾燥させるブロワーを備えたものにおいて、前期収納部において高速空気吹き出し口より下部に消毒液噴霧ノズルを設け、この噴霧ノズルに消毒液を噴霧する吸引ポンプと、この吸引ポンプを駆動する駆動部を備え、前記制御部が、前記センサーが手を感知すると同時に前記ブロワーを作動し、所定時間経過した後に噴霧ポンプが作動して、消毒液噴霧ノズルより所定量の消毒液を噴霧して手を消毒乾燥するよう制御されていることを特徴とする手消毒乾燥装置である。
【発明の効果】
【０００６】  本発明は、手を挿入できる広さを有する収納部に手を挿入することにより、感知センサーが手を感知して、その信号が制御部に入力されて、この制御部からの信号によって高速空気吹き出し口より手に送風して乾燥させるブロワーと、前記高速空気吹き出し口よりも下部に備えられた消毒液噴霧ノズルから手に消毒液を噴霧することで、手の一度の動作で消毒乾燥が行えるようになった。【０００７】  また、高速空気吹き出し口より手に送風される時間よりも所定時間遅れてから消毒液の噴霧を開始することにより消毒液が収納部より外部に飛散しないように設計されている。そして設置に必要なスペースが少なくて済むために不特定多数の利用者が往来する施設、例えばホテルや駅、レストランなどの出入口への設置が容易に可能である。
【図面の簡単な説明】
【０００８】
【図１】  本発明にかかる手消毒乾燥装置の一実施例の概略図
【図２】  本発明にかかる手消毒乾燥装置の一実施例の断面図
【図３】  本発明の制御部についてのブロック図
【図４】  本発明のタイミングチャート
【発明を実施するための形態】
【０００９】  本発明による手乾燥消毒装置の構造を図１から図４に基づいて説明する。まず手を挿入できる収納部１を有し、この収納部１の入口上部に感知センサー２が設置され、手を近づけると感知するようになっている。乾燥送風はブロワー３の駆動による送風が手の平と甲にかかるように前後に分けて帯状の高速空気吹き出し口４から送風されエアカーテンの役割をしている。また、高速空気吹き出し口４より下方に噴霧ノズル５が数箇所、これも消毒液の噴霧が手の平と甲にかかるように、前後に配置されて収納部１の全体に噴霧できる構造になっている。
【００１０】  噴霧する消毒液は消毒液タンク６に入っており、吸引ポンプ７にて吸引し、マニホールド８にて送液を分離して複数個の噴霧ノズル５に送り噴霧される。この消毒液タンク６には消毒液の残量が少なくなれば消毒できないため、残量表示９を点滅にて外聞に知らせるようになっている。
【００１１】  収納部１には手洗い後水気を帯びた手を挿入する場合など、収納下部に水滴が溜まる可能性があるため引出トレイ１０を設置し、手軽に清掃ができ清潔に保てるような構造となっている。
【００１２】  センサー入力、ブロワー駆動、ポンプ駆動、残量表示などは制御部１１に接続されており一括制御を行っている。家庭用電源にて使用可能で、かつどこにでも持ち運びができて設置できる構造になっている。
【００１３】  次に本発明による手乾燥消毒装置の使用状態を説明する。本発明の手乾燥消毒装置は、収納部１に手を挿入すると感知センサー２が手を感知し、その信号を制御部１１へ伝える。制御部１１はブロワー３に信号を送り駆動を開始すると高速空気吹き出し口４より送風して手を乾燥させる。
【００１４】  感知センサー２が手を感知してから所定時間（０．５秒程度）経過した後に制御部１１は吸引ポンプ７に信号を送り吸引ポンプ７が作動する。吸引ポンプ７が消毒液タンク６より消毒液を吸引してマニホールド８を経由して、高速吹き出し口４よりも下部に位置する消毒液噴霧ノズル５より消毒液を噴霧する。噴霧時間は手に満遍なく消毒液が降りかかる所定時間のみ噴霧する。
【００１５】  手を収納部１より引き出すことにより感知センサー２が感知しなくなるとブロワー３の駆動が停止する。消毒液は揮発性のため外部に飛散することを防ぐ為に、噴霧時間よりもブロワー３の作動による送風時間が長くなるように設定しておく。
【００１６】  また収納部１に手を挿入して、消毒液の噴霧が開始されるまでに手を収納部１より外に出した場合においては手を消毒する意思がないと認め噴霧動作は行われない。
【００１７】  消毒液タンク６の内部において消毒液が液面センサー１２より下回った場合は、液面センサー１２が消毒液の不足を判断し、装置表面の残量表示９が点滅を行い、消毒液の補充が必要な事実を外部に知らせる。
【００１８】  他の手洗装置などを使用した後に、濡れたままの手を収納部１に挿入し、送風により水分は収納部１の下部、引き出しトレイ１０にたまる。引き出しトレイ１０は引き出しが可能で、別途洗浄を行うことも可能である。
【００１９】  電源１３は、直流変換された電源で制御部１１に供給している。制御部１１は、感知センサー２、液面センサー１２を入力として、吸引ポンプ７、ブロワー３を駆動するとともに液面状態の表示を表す残量表示９を点滅、点灯表示を行っている。
【００２０】  図４のタイミングチャートについて説明する。まず手乾燥消毒装置の収納部１に手を挿入すると、感知センサー２が作動し、ブロワー３が駆動する。所定時間経過後（Ｔ１）に吸引ポンプ７が作動し、一定時間（Ｔ２）消毒液を噴霧。収納部１より手を引き出すことでブロワー３の駆動は停止。ただし噴霧中に手を引き出した（Ｔ３）場合、噴霧終了後一定時間（Ｔ４）にブロワー３の駆動は停止する。このため噴霧している消毒液が外部に飛散することはない。また手の挿入感知後から噴霧までの時間（Ｔ１）内に手を引き出した場合、吸引ポンプ７は作動しない。
【符号の説明】
【００２１】１・・・収納部
２・・・感知センサー
３・・・ブロワー
４・・・高速空気吹き出し口
５・・・消毒液噴霧ノズル
６・・・消毒液タンク
７・・・吸引ポンプ
８・・・マニホールド
９・・・残量表示
１０・・引き出しトレイ
１１・・制御部
１２・・液面センサー
１３・・電源
【図１】
2011031011.tif 000003
【図２】
2011031011.tif 000004
【図３】
2011031011.tif 000005
【図４】
2011031011.tif 000006